(57)【要約】      （修正有）【課題】  表示装置に表示されたコンテンツの詳細情報や関連情報を、携帯型通信端末を利用して入手する際の、視聴者による入手先アドレスの入力作業や入力したアドレスの確認等の負担を軽減する。【解決手段】  コンテンツ配信装置からコンテンツ出力装置にコンテンツを配信し、前記コンテンツを取得したコンテンツ出力装置から表示装置に前記取得したコンテンツを出力し、前記表示装置に出力されたコンテンツを見た視聴者の通信端末から前記コンテンツの関連情報を配信する装置に前記関連情報の配信を要求し、前記関連情報を配信する装置から前記通信端末に、前記要求された関連情報を配信し、前記表示装置の前に立った人物（可視聴者）の動作に応じて前記表示装置へのコンテンツの出力を制御する情報配信方法である。【選択図】        図２
2005332035.tif 000002
【特許請求の範囲】
【請求項１】
コンテンツ配信装置からコンテンツ出力装置にコンテンツを配信するステップ１と、前記コンテンツを取得したコンテンツ出力装置から表示装置に前記取得したコンテンツを出力するステップ２と、前記表示装置に出力されたコンテンツを見た視聴者の通信端末から前記コンテンツの関連情報を配信する装置に前記関連情報の配信を要求するステップ３と、前記関連情報を配信する装置から前記通信端末に、前記要求された関連情報を配信するステップ４とを有し、前記ステップ２は、前記表示装置の前に立った人物（可視聴者）の動作に応じて前記表示装置へのコンテンツの出力を制御する情報配信方法であって、
前記ステップ１は、コンテンツ毎に割り当てられたアドレス情報を含む画像が埋め込まれたコンテンツを配信し、
前記ステップ３は、前記通信端末で前記コンテンツに埋め込まれた前記アドレス情報を含む画像を読み取り、前記読み取った画像から抽出したアドレス情報を用いて前記関連情報を配信する装置に前記関連情報の配信要求を送信することを特徴とする情報配信方法。
【請求項２】
前記ステップ４は、前記通信端末からの配信要求のアドレス情報に基づいてコンテンツを特定し、前記特定したコンテンツの関連情報を前記通信端末に送信することを特徴とする請求項１に記載の情報配信方法。
【請求項３】
コンテンツ配信装置からコンテンツ出力装置にコンテンツを配信するステップ１と、前記コンテンツを取得したコンテンツ出力装置から表示装置に前記取得したコンテンツを出力するステップ２と、前記表示装置に出力されたコンテンツを見た視聴者の通信端末から前記コンテンツ配信装置に前記コンテンツの関連情報の配信を要求するステップ３と、前記コンテンツ配信装置から前記通信端末に、前記要求された関連情報を配信するステップ４とを有し、前記ステップ２は、前記表示装置の前に立った人物（可視聴者）の動作に応じて前記表示装置へのコンテンツの出力を制御する情報配信方法であって、
前記ステップ２は、前記コンテンツとともに、コンテンツ出力装置毎に割り当てられたアドレス情報を含む画像を前記表示装置に出力し、
前記ステップ３は、前記通信端末で前記表示装置に出力された前記アドレス情報を含む画像を読み取り、前記読み取った画像から抽出したアドレス情報を用いて前記コンテンツ配信装置に前記関連情報の配信要求を送信することを特徴とする情報配信方法。
【請求項４】
前記ステップ４は、前記通信端末からの配信要求のアドレス情報に基づいてコンテンツ出力装置を特定し、前記コンテンツ出力装置に配信したコンテンツの関連情報を前記通信端末に送信することを特徴とする請求項３に記載の情報配信方法。
【請求項５】
前記ステップ４は、前記コンテンツ出力装置に配信したコンテンツが複数種類の場合、前記通信端末に前記複数種類のコンテンツのうちの１種類を選択させ、前記通信端末が選択したコンテンツの関連情報を前記通信端末に送信することを特徴とする請求項４に記載の情報配信方法。
【請求項６】
前記アドレス情報を含む画像は、バーコードの画像とすることを特徴とする請求項１乃至請求項５のいずれか１項に記載の情報配信方法。
【請求項７】
コンテンツを配信するコンテンツ配信装置と、前記コンテンツ配信装置から配信されるコンテンツを取得し、表示装置に出力するコンテンツ出力装置と、前記表示装置に出力されたコンテンツの関連情報を取得する通信端末と、前記通信端末に前記コンテンツの関連情報を配信する関連情報配信装置とを備え、前記コンテンツ出力手段は、前記表示装置の前に立った人物（可視聴者）の動作に応じて前記表示装置へのコンテンツの出力を制御する手段を備える情報配信システムであって、
前記コンテンツ配信装置は、コンテンツ毎に割り当てられたアドレス情報を含む画像が埋め込まれたコンテンツを配信し、
前記通信端末は、前記コンテンツに埋め込まれた前記アドレス情報を含む画像を読み取る画像読み取り手段と、前記画像読み取り手段で読み取った画像からアドレス情報を抽出するアドレス情報抽出手段と、前記アドレス情報抽出手段で抽出したアドレス情報を送信先アドレスとした関連情報の配信要求を生成して前記関連情報配信装置に送信する配信要求生成手段とを備え、
前記関連情報配信装置は、前記コンテンツの関連情報を保持する関連情報保持手段と、前記配信要求からコンテンツを特定して前記特定したコンテンツの関連情報を前記通信端末に送信するコンテンツ特定手段を備えることを特徴とする情報配信システム。
【請求項８】
前記コンテンツ配信手段は、前記コンテンツ毎に割り当てたアドレス情報をバーコード化する手段を備えることを特徴とする請求項６に記載の情報配信システム。
【請求項９】
コンテンツを配信するコンテンツ配信装置と、前記コンテンツ配信装置から配信されるコンテンツを取得し、表示装置に出力するコンテンツ出力装置と、前記表示装置に出力されたコンテンツの関連情報を取得する通信端末とを備え、前記コンテンツ配信装置は、前記コンテンツの関連情報を配信する関連情報配信手段を備え、前記コンテンツ出力手段は、前記表示装置の前に立った人物（可視聴者）の動作に応じて前記表示装置へのコンテンツの出力を制御する手段を備える情報配信システムであって、
前記コンテンツ出力手段は、前記コンテンツとともに、コンテンツ出力手段毎に割り当てられたアドレス情報を含む画像を前記表示装置に出力する手段を備え、
前記通信端末は、前記表示装置に出力された前記アドレス情報を含む画像を読み取る画像読み取り手段と、前記画像読み取り手段で読み取った画像からアドレス情報を抽出するアドレス情報抽出手段と、前記アドレス情報抽出手段で抽出したアドレス情報を送信先アドレスとした関連情報の配信要求を生成して前記コンテンツ配信装置に送信する配信要求生成手段とを備え、
前記コンテンツ配信装置の前記関連情報配信手段は、前記配信要求からコンテンツ出力手段を特定し、前記特定したコンテンツ出力手段に配信したコンテンツの関連情報を前記通信端末に送信するコンテンツ特定手段を備えることを特徴とする情報配信システム。
【請求項１０】
前記コンテンツ特定手段は、前記特定したコンテンツ出力手段に複数種類のコンテンツが配信されている場合、前記通信端末に前記複数種類の中から１種類のコンテンツを選択させる手段を備えることを特徴とする請求項８に記載の情報配信システム。
【請求項１１】
前記コンテンツ配信装置の前記関連情報配信手段は、前記コンテンツの関連情報を保持する関連情報保持手段を備えることを特徴とする請求項８または請求項９に記載の情報配信システム。
【請求項１２】
前記コンテンツ配信装置または前記コンテンツ出力装置は、前記コンテンツ出力装置毎に割り当てられたアドレス情報をバーコード化する手段を備えることを特徴とする請求項８乃至請求項１０のいずれか１項に記載の情報配信システム。
【請求項１３】
前記コンテンツ出力装置は、前記コンテンツを取得するコンテンツ取得手段と、前記取得したコンテンツを保持するコンテンツ保持手段と、前記表示装置に出力されたコンテンツが視聴可能な領域を撮影した映像を取得して解析する映像解析手段と、前記映像解析手段で前記映像上の変化を検出したときに前記変化の内容に応じた前記表示装置に出力するコンテンツを制御する出力制御手段とを備えることを特徴とする請求項８乃至請求項１１のいずれか１項に記載の情報配信システム。
【発明の詳細な説明】
【技術分野】
【０００１】
本発明は、情報配信方法および情報配信システムに関し、特に、表示装置の前に立った人物の動作に応じて表示するコンテンツを制御する情報配信方法およびシステムに適用して有効な技術に関するものである。
【背景技術】
【０００２】
従来、駅構内やビルの入り口等の公共空間に設けられたプラズマディスプレイやプロジェクタ等の大画面の表示装置に広告や案内等のコンテンツを表示するコンテンツ表示方法には、コンテンツが視聴可能な領域にいる人物（可視聴者）の動作に応じて表示しているコンテンツを動的に変化させる方法がある。前記コンテンツ表示方法では、前記表示装置に１つまたは複数のウインドウを設け、各ウインドウでコンテンツを表示しているときに、たとえば、前記可視聴者が前記表示装置上のあるウインドウの前を通ると、そのウインドウのサイズを拡大する表示方法がある。また、その他にも、たとえば、前記可視聴者があるウインドウの前で立ち止まると、そのウインドウで表示しているコンテンツを詳細情報に切り替えるという表示方法もある。またさらに、たとえば、前記可視聴者があるウインドウの前に長時間滞留していたり、あるウインドウに対して指をさすような動作をしたりすると、そのウインドウに、たとえば、地図やクーポン情報等の前記コンテンツに関する有用な情報を表示するという表示方法もある。
【０００３】
また、近年は、たとえば、前記大画面の表示装置に、前記表示装置が設置された場所の付近の地図を表示しておき、前記地図上のあらかじめ定められた位置の前で前記可視聴者が立ち止まると、対応する位置に関するコンテンツ（情報）を表示するウインドウをポップアップ表示する表示方法や、前記可視聴者が前記ポップアップ表示したウインドウに近づくと前記ウインドウの表示を詳細情報に切り替える表示方法もある。
【０００４】
また、前述のようなコンテンツ表示方法を実現するための技術として、たとえば、映像あるいは静止画等のマルチメディア情報を提示した複数の画面に囲まれた空間内部で、利用者が映像あるいは音楽を視聴するマルチメディア情報空間に情報を入出力するもので、マルチメディア情報空間に存在する複数の利用者の状態を検出し、検出された複数の利用者の状態を指示命令に変換し、変換された指示命令を処理し、前記指示命令に応じてマルチメディア情報間に出力すべきマルチメディア情報を更新し、更新したマルチメディア情報をマルチメディア情報空間に出力する方法がある（たとえば、特許文献１を参照）。
【特許文献１】特開2001-216527号公報
【発明の開示】
【発明が解決しようとする課題】
【０００５】
しかしながら、前記従来のコンテンツ表示方法では、前記表示装置に表示する広告や案内等のコンテンツを、前記可視聴者の位置や動作にあわせて動的に変化させ、前記可視聴者に視聴させることができるものの、前記コンテンツを視聴した視聴者が、前記コンテンツに関するより詳細な情報の提供を望む場合、たとえば、Webサイト（ホームページ）のアドレス等の詳細情報の入手先を前記コンテンツから見出して、記憶したりメモしたりする必要があった。そのため、前記可視聴者に、前記詳細情報の入手先を見つけ出す作業や見つけ出した入手先のアドレスを入力する作業等の負担を強いるという問題があった。また、見つけ出した前記入手先のアドレス情報を記憶したりメモしたりする場合、記憶が曖昧になったりメモする際の転記ミス等によるアドレスの入力ミスをしやすいといった問題もあった。
【０００６】
本発明は、表示装置に表示されたコンテンツの詳細情報や関連情報を、携帯型通信端末を利用して入手する際の、視聴者による入手先アドレスの入力作業や入力したアドレスの確認等の負担を軽減することが可能な技術を提供することにある。
【０００７】
本発明の前記ならびにその他の目的と新規な特徴は、本明細書の記述および添付図面によって明らかになるであろう。
【課題を解決するための手段】
【０００８】
本願において開示される発明の概略を説明すれば、以下の通りである。
【０００９】
（１）  コンテンツ配信装置からコンテンツ出力装置にコンテンツを配信するステップ１と、前記コンテンツを取得したコンテンツ出力装置から表示装置に前記取得したコンテンツを出力するステップ２と、前記表示装置に出力されたコンテンツを見た視聴者の通信端末から前記コンテンツの関連情報を配信する装置に前記関連情報の配信を要求するステップ３と、前記関連情報を配信する装置から前記通信端末に、前記要求された関連情報を配信するステップ４とを有し、前記ステップ２は、前記表示装置の前に立った人物（可視聴者）の動作に応じて前記表示装置へのコンテンツの出力を制御する情報配信方法であって、前記ステップ１は、コンテンツ毎に割り当てられたアドレス情報を含む画像が埋め込まれたコンテンツを配信し、前記ステップ３は、前記通信端末で前記コンテンツに埋め込まれた前記アドレス情報を含む画像を読み取り、前記読み取った画像から抽出したアドレス情報を用いて前記関連情報を配信する装置に前記関連情報の配信要求を送信することを特徴とする情報配信方法である。
【００１０】
（２）  コンテンツ配信装置からコンテンツ出力装置にコンテンツを配信するステップ１と、前記コンテンツを取得したコンテンツ出力装置から表示装置に前記取得したコンテンツを出力するステップ２と、前記表示装置に出力されたコンテンツを見た視聴者の通信端末から前記コンテンツ配信装置に前記コンテンツの関連情報の配信を要求するステップ３と、前記コンテンツ配信装置から前記通信端末に、前記要求された関連情報を配信するステップ４とを有し、前記ステップ２は、前記表示装置の前に立った人物（可視聴者）の動作に応じて前記表示装置へのコンテンツの出力を制御する情報配信方法であって、前記ステップ２は、前記コンテンツとともに、コンテンツ出力装置毎に割り当てられたアドレス情報を含む画像を前記表示装置に出力し、前記ステップ３は、前記通信端末で前記表示装置に出力された前記アドレス情報を含む画像を読み取り、前記読み取った画像から抽出したアドレス情報を用いて前記コンテンツ配信装置に前記関連情報の配信要求を送信することを特徴とする情報配信方法である。
【発明の効果】
【００１１】
本発明の情報配信方法は、前記（１）および（２）に記載したように、前記可視聴者が、前記表示装置に表示されたコンテンツを見て、さらに詳細な情報や関連情報を望む場合、前記通信端末でアドレス情報を含む画像を読み取り、読み取った画像から抽出したアドレス情報を用いて前記関連情報配信装置またはコンテンツ配信装置にアクセスする。そのため、前記関連情報の入手先のアドレス情報を容易に見つけることができるとともに、前記可視聴者自身が前記通信端末の入力手段を用いてアドレスを入力しなくても前記関連情報配信装置またはコンテンツ配信装置に関連情報の配信を要求することができ、入力作業による負荷やアドレスの入力ミスを低減することができる。
【００１２】
また、前記（１）に記載した情報配信方法の場合、前記ステップ４は、前記通信端末からの配信要求のアドレス情報に基づいてコンテンツを特定し、前記特定したコンテンツの関連情報を前記通信端末に送信すればよい。
【００１３】
また、前記（２）に記載した情報配信方法の場合、前記ステップ４は、前記通信端末からの配信要求のアドレス情報に基づいてコンテンツ出力装置を特定し、前記コンテンツ出力装置に配信したコンテンツの関連情報を前記通信端末に送信すればよい。またこのとき、前記特定したコンテンツ出力装置に配信したコンテンツが複数種類の場合、前記通信端末に前記複数種類のコンテンツのうちの１種類を選択させ、前記通信端末が選択したコンテンツの関連情報を前記通信端末に送信する。
【００１４】
また、前記（１）および（２）に記載した情報配信方法では、前記アドレス情報を含む画像を、たとえば、QRコード等のバーコードの画像とすることが好ましい。前記QRコードは近年、たとえば、携帯電話を利用した情報配信方法等で利用されるようになってきている。そのため、前記QRコード等の画像を利用すれば、専用の通信端末を用意しなくても、前記関連情報を取得することができる。
【００１５】
また、前記ステップ２は、たとえば、前記表示装置の前に人物が立ったら前記表示装置に前記コンテンツを表示するような制御、前記表示装置の前に立っている人物が移動したら移動した位置のコンテンツを詳細情報に切り替える制御を行う。
【００１６】
また、前記（１）に記載した情報配信方法を実現するシステムは、前記コンテンツ配信装置と、前記コンテンツ配信装置から配信されるコンテンツを取得して表示装置に出力するコンテンツ出力装置と、前記表示装置に出力されたコンテンツの関連情報を取得する通信端末と、前記通信端末に前記コンテンツの関連情報を配信する関連情報配信装置を備えていればよい。このとき、前記コンテンツ出力手段は、前記表示装置の前に立った人物（可視聴者）の動作に応じて前記表示装置へのコンテンツの出力を制御する手段を備える。またこのとき、前記コンテンツ配信装置は、コンテンツ毎に割り当てられたアドレス情報を含む画像が埋め込まれたコンテンツを配信すればよい。また、前記通信端末は、前記コンテンツに埋め込まれた前記アドレス情報を含む画像を読み取る画像読み取り手段と、前記画像読み取り手段で読み取った画像からアドレス情報を抽出するアドレス情報抽出手段と、前記アドレス情報抽出手段で抽出したアドレス情報を送信先アドレスとした関連情報の配信要求を生成して前記関連情報配信装置に送信する配信要求生成手段とを備え、前記関連情報配信装置は、前記コンテンツの関連情報を保持する関連情報保持手段と、前記配信要求からコンテンツを特定して前記特定したコンテンツの関連情報を前記通信端末に送信するコンテンツ特定手段を備えていればよい。またこのとき、前記コンテンツ配信装置は、前記コンテンツ毎に割り当てたアドレス情報をバーコード化する手段を備えていてもよい。
【００１７】
また、前記（２）に記載した情報配信方法を実現するシステムは、前記コンテンツ配信装置と、前記コンテンツ配信装置から配信されるコンテンツを取得し、表示装置に出力するコンテンツ出力装置と、前記表示装置に出力されたコンテンツの関連情報を取得する通信端末とを備えていればよい。このとき、前記コンテンツ配信装置は、前記コンテンツの関連情報を配信する関連情報配信手段を備え、前記コンテンツ出力装置は、前記表示装置の前に立った人物（可視聴者）の動作に応じて前記表示装置へのコンテンツの出力を制御する手段を備えているとする。またこのとき、前記コンテンツ出力装置は、前記コンテンツとともに、コンテンツ出力手段毎に割り当てられたアドレス情報を含む画像を前記表示装置に出力する手段を備えているとする。また、前記通信端末は、前記表示装置に出力された前記アドレス情報を含む画像を読み取る画像読み取り手段と、前記画像読み取り手段で読み取った画像からアドレス情報を抽出するアドレス情報抽出手段と、前記アドレス情報抽出手段で抽出したアドレス情報を送信先アドレスとした関連情報の配信要求を生成して前記コンテンツ配信装置に送信する配信要求生成手段とを備え、前記コンテンツ配信装置の前記関連情報配信手段は、前記配信要求からコンテンツ出力手段を特定し、前記特定したコンテンツ出力手段に配信したコンテンツの関連情報を前記通信端末に送信するコンテンツ特定手段を備えていればよい。
【００１８】
また、前記（２）に記載した情報配信方法を実現するシステムの場合、前記コンテンツ特定手段は、前記特定したコンテンツ出力装置に複数種類のコンテンツが配信されている場合、前記通信端末に前記複数種類の中から１種類のコンテンツを選択させる手段を備えていればよい。また、前記コンテンツ配信装置の前記関連情報配信手段は、前記コンテンツの関連情報を保持する関連情報保持手段を備えていてもよい。また、前記コンテンツ配信装置または前記コンテンツ出力装置は、前記コンテンツ出力装置毎に割り当てられたアドレス情報をバーコード化する手段を備えていてもよい。
【００１９】
また、前記（１）および（２）に記載した情報配信方法を実現するシステムの前記コンテンツ出力装置は、前記コンテンツを取得するコンテンツ取得手段と、前記取得したコンテンツを保持するコンテンツ保持手段と、前記表示装置に出力されたコンテンツが視聴可能な領域を撮影した映像を取得して解析する映像解析手段と、前記映像解析手段で前記映像上の変化を検出したときに前記変化の内容に応じた前記表示装置に出力するコンテンツを制御する出力制御手段とを備えていればよい。またこのとき、前記出力制御手段は、たとえば、前記映像解析手段の解析結果に応じたイベントを発生するイベント発生手段と、前記イベント発生手段で発生したイベントに基づいてスクリプトを実行するスクリプト実行手段と、前記スクリプト実行手段で実行するスクリプトにしたがい、前記コンテンツ保持手段で保持しているコンテンツを前記表示装置に表示させたり、前記表示装置で表示している詳細情報に切り替えたりする画面制御手段を備えていればよい。
【００２０】
以下、本発明について、図面を参照して実施の形態（実施例）とともに詳細に説明する。
なお、実施例を説明するための全図において、同一機能を有するものは、同一符号を付け、その繰り返しの説明は省略する。
【発明を実施するための最良の形態】
【００２１】
本発明の情報配信方法では、コンテンツを表示する表示装置に、コンテンツ毎に割り当てられたアドレス情報を含む画像、あるいは前記表示装置にコンテンツを出力するコンテンツ出力装置毎に割り当てられたアドレス情報を含む画像を出力（表示）する。そして、前記コンテンツを見た人物（可視聴者）が、より詳細な情報や関連情報を望む場合、通信端末で前記画像を読み取り、読み取った画像から抽出したアドレス情報を用いて前記関連情報の配信を要求する。このようにすることで、前記可視聴者が前記通信端末の入力手段を用いてアドレスを入力する作業を省き、入力作業の負担の軽減や入力ミスの低減を実現する。
【実施例１】
【００２２】
図１および図２は、本発明による実施例１の情報配信方法の原理を説明するための模式図であり、図１は本実施例１の情報配信方法を実現する情報配信システムの構成例を示す図、図２は通信端末の構成例および関連情報の取得手順を説明する図である。
図１において、１はコンテンツ配信装置、２は表示装置、３はコンテンツ出力装置、３０１はコンテンツ取得手段、３０２はコンテンツ保持手段、３０３は映像解析手段、３０４はイベント発生手段、３０５はスクリプト実行手段、３０６は画面制御手段、３０７はアクションスクリプト記憶手段、４は関連情報配信装置、４０１は関連情報蓄積手段、４０２はコンテンツ特定手段、４０３はパケット送受信手段、５は通信端末、６はインターネット、７はカメラである。また、図２において、５０１は画像読取手段、５０２はアドレス情報抽出手段、５０３は配信要求生成手段、５０４は表示手段、５０５はパケット送受信手段である。
【００２３】
本実施例１の情報配信方法は、たとえば、図１に示すように、コンテンツを配信するコンテンツ配信装置１と、前記コンテンツ配信装置１から配信されるコンテンツを取得して表示装置２に出力するコンテンツ出力装置３と、前記コンテンツの関連情報を配信する関連情報配信装置４と、前記表示装置２に出力されたコンテンツを見た人物（可視聴者）が前記関連情報配信装置４から前記コンテンツの関連情報を取得する通信端末５とを備える情報配信システムによって実現される。このとき、前記コンテンツ出力装置３は、たとえば、図１に示したように、インターネット６を介して前記コンテンツ配信装置１から配信された前記コンテンツを取得する。また、前記通信端末５も、たとえば、前記インターネット６を介して前記関連情報配信装置４にアクセスし、前記関連情報を取得する。またこのとき、前記通信端末５は、有線または無線のいずれかの方法で前記インターネット６に接続することが可能な端末であればよい。
【００２４】
また、前記コンテンツ配信装置１は、複数のコンテンツを記憶し保持する記憶媒体を備え、前記コンテンツ出力装置に対して、広告や案内等を目的とするコンテンツを前記ネットワーク等の伝送路を介して配信するようになっている。またこのとき、前記コンテンツ配信装置１は、たとえば、いくつかの関連したコンテンツをグループ化して配信する。つまり、前記コンテンツ配信装置１によって配信されるコンテンツが、たとえば、商品の広告を含むものである場合には、前記商品の詳細情報を含むコンテンツや前記商品の取扱店情報を含むコンテンツ等と共にグループ化されて配信される。
【００２５】
また、本実施例１の情報配信方法では、前記グループ化されたコンテンツのうち、少なくとも１つのコンテンツに、QRコード（バーコード）等の画像を埋め込んでおく。この画像は、コンテンツに関するより詳細な情報を含む関連情報を得るためのアドレス情報として、たとえば、URL(Uniform Resource Locator)やe-mail等のアドレス情報を含んでいるとする。また、本実施例１の情報配信方法では、前記アドレス情報は、コンテンツ毎、またはコンテンツのグループ毎にユニークに割り当てられているとする。
【００２６】
また、前記表示装置２は、たとえば、プラズマディスプレイやプロジェクタのような大画面の表示装置であり、駅構内やビルの入り口付近等の公共スペースに設置されているとする。
【００２７】
また、前記コンテンツ出力装置３は、前記コンテンツを取得するコンテンツ取得手段３０１と、前記取得したコンテンツを保持するコンテンツ保持手段３０２と、前記表示装置２に出力するコンテンツが視聴可能な領域を撮影した映像を取得して解析する映像解析手段３０３と、前記映像解析手段３０３で前記映像上の変化を検出したときに前記変化の内容に応じた前記表示装置２に出力するコンテンツを制御する出力制御手段とを備えている。このとき、前記映像解析手段３０３は、図１に示したように、前記表示装置２に出力されたコンテンツが視聴可能な領域全体を撮影できるように設置されたカメラ７から前記映像を取得し、たとえば、可視聴者がいない状態で撮影された映像と比較して変化した領域の有無を解析する。またこのとき、前記カメラ７は、たとえば、図１に示したように２台でもよいし、１台あるいは３台以上であってもよい。また、２台以上のカメラ７を設置している場合、前記映像解析手段３０３は、前記各カメラで撮影された複数の映像を合成して解析する。
【００２８】
また、前記コンテンツ出力装置３の前記出力制御手段は、たとえば、図１に示したように、前記映像解析手段３０３の解析結果に応じたイベントを発生するイベント発生手段３０４と、前記イベント発生手段３０４で発生したイベントに基づいてスクリプトを実行するスクリプト実行手段３０５と、前記スクリプト実行手段３０５で実行するスクリプトにしたがい、前記コンテンツ保持手段３０２で保持しているコンテンツを前記表示装置２に表示させたり、前記表示装置２で表示しているコンテンツを詳細情報に切り替えたりする画面制御手段３０６を備える。またこのとき、前記スクリプト実行手段３０５は、たとえば、アクションスクリプト記憶手段３０７に記憶、保持されているスクリプトを取得し、実行する。
【００２９】
また、前記関連情報配信装置４は、たとえば、図１に示したように、関連情報が蓄積された関連情報蓄積手段４０１と、前記関連情報の配信要求のアドレス情報からコンテンツを特定するコンテンツ特定手段４０２と、前記通信端末５との間で前記配信要求や関連情報等のパケットの送受信を行うパケット送受信手段４０３とを備える。
【００３０】
また、前記コンテンツ配信装置１および前記コンテンツ出力装置３、ならびに前記関連情報配信装置４には、たとえば、コンピュータを用いる。そして、前記各装置の各手段で行う処理を実行させるプログラムを用いてそれぞれのコンピュータを動作させ、前記コンテンツの配信、前記コンテンツの出力、前記関連情報の配信といった処理を行わせる。
【００３１】
また、前記通信端末５は、たとえば、図２に示すように、前記表示装置２に出力されたコンテンツ８に埋め込まれた前記アドレス情報を含む画像８Ｐを読み取る画像読取手段５０１と、前記画像読取手段５０１で読み取った画像からアドレス情報を抽出するアドレス情報抽出手段５０２と、前記アドレス情報抽出手段５０２で抽出したアドレス情報を送信先アドレスとした関連情報の配信要求を生成して前記関連情報配信装置４に送信する配信要求生成手段５０３と、前記関連情報配信装置４から配信された関連情報を表示する表示手段５０４と、前記関連情報配信装置４との間で配信要求や関連情報等のパケットの送受信を行うパケット送受信手段５０５とを備える。このとき、前記画像読取手段５０１は、たとえば、カメラのような前記アドレス情報を含む画像を撮影する撮影手段であるとする。またこのとき、前記通信端末５は、たとえば、カメラ付きの携帯電話端末、通信機能およびカメラを内蔵あるいは接続したPDAのような携帯型端末であってもよいし、ディジタルカメラ等で撮影した画像を読み込むことが可能なコンピュータであってもよい。
【００３２】
また、図１では、前記コンテンツ配信装置１、前記コンテンツ出力装置３、前記関連情報配信装置４が、それぞれ１つずつの構成例を示しているが、実際には、前記各装置は複数あり、前記インターネットを介して相互に接続されているとする。また、前記各コンテンツ出力装置３にはそれぞれ、表示装置２およびカメラ７が接続されているとする。
【００３３】
本実施例１の情報配信方法では、前記表示装置２に表示されたコンテンツ８を見た可視聴者が、さらに詳細な情報や関連情報等を望む場合、前記可視聴者は、たとえば、図２に示したように、前記表示されたコンテンツ８に埋め込まれたQRコード等の前記アドレス情報を含む画像８Ｐを前記通信端末５の画像読取手段５０１で読み取る（撮影する）。このとき、前記アドレス情報を含む画像８ＰがQRコードであれば、前記アドレス情報抽出手段５０２で復号し、含まれるアドレス情報を抽出する。そして、前記配信要求生成手段５０３で、前記抽出したアドレス情報を送信先アドレスとした関連情報の配信要求を生成する。生成した配信要求は、前記パケット送受信手段５０５から前記インターネット６を介して前記関連情報配信装置４に送信される。
【００３４】
前記関連情報配信装置４では、前記パケット送受信手段４０３で前記配信要求を受信すると、まず、前記コンテンツ特定手段４０２で前記配信要求の送信先アドレスを調べ、どのコンテンツを見て関連情報の配信要求を送信したかを特定する。そして、前記コンテンツを特定したら、前記関連情報蓄積手段４０１から前記特定したコンテンツの関連情報を読み出す。読み出した関連情報は、前記パケット送受信手段４０３から前記インターネット６を介して前記配信要求を送信した通信端末５に対して送信する。このとき、前記関連情報は、たとえば、HTML(Hyper Text Markup Language)で記述されたWWW(World Wide Web)ページによって表され、コンテンツのより詳細な情報やコンテンツの供給元に有効なクーポン情報等を含んでいるとする。
【００３５】
そして、前記通信端末５は、前記パケット送受信手段５０５で前記関連情報配信装置４からの関連情報を受信すると、その関連情報を液晶ディスプレイ等の表示手段５０４に表示する。また、図示は省略するが、受信した関連情報をメモリ等の記憶手段に記憶し保持してもよい。
【００３６】
このように、前記通信端末５を用いて前記コンテンツ８に埋め込まれた画像８Ｐを読み取り、前記画像８Ｐに含まれるアドレス情報を抽出することで、たとえば、従来のように前記可視聴者が前記コンテンツ８を見ながらアドレスを入力する作業を省くことができる。そのため、前記入力作業の負担を軽減できる。また、前記画像８Ｐからアドレス情報を抽出するので、入力ミスを防ぐこともできる。
【００３７】
図３乃至図７は、本実施例１の情報配信方法におけるコンテンツの出力手順の一例を説明するための模式図であり、図３はコンテンツ出力装置で行う出力制御の手順を示すフロー図、図４乃至図６および図７（ａ）ならびに図７（ｂ）はそれぞれ出力の制御方法の例を示す図である。
【００３８】
本実施例１の情報配信方法において、前記コンテンツ出力装置３から前記表示装置２にコンテンツを出力する場合、図３に示すように、まず、前記映像解析手段３０３において前記カメラ７で撮影された前記表示装置２の前の映像を取得して解析し（ステップ９０１）、変化が検出されたか否かを判定する（ステップ９０２）。前記ステップ９０１は、たとえば、取得した映像上の最新のフレームと、前記表示装置２の前に可視聴者がいないときに撮影した映像（フレーム）、あるいはΔｔ秒前の映像（フレーム）を比較し、変化した領域の有無を解析する。そして、前記ステップ９０２で変化した領域が無いと判定された場合、前記ステップ９０１に戻り、映像の解析を続ける。
【００３９】
また、前記ステップ９０２で変化した領域があると判定された場合、前記映像解析手段３０３は、たとえば、前記変化の内容を前記イベント発生手段３０４に通知する。このとき、前記イベント発生手段３０４は、変化の内容に応じたイベントを発生させる（ステップ９０３）。そして、前記イベント発生手段３０４は、前記ステップ９０３で発生させたイベントを前記スクリプト実行手段３０５に通知する。
【００４０】
前記スクリプト実行手段３０５に前記イベントが通知されると、前記スクリプト実行手段３０５は、たとえば、前記アクションスクリプト記憶手段３０７から前記イベントと対応するスクリプトを取得し（ステップ９０４）、スクリプトを実行する（ステップ９０５）。このとき、前記スクリプト実行手段３０５は、たとえば、前記画面制御手段３０６に制御命令を渡し、前記画面制御手段３０６に、前記表示装置２にコンテンツを出力させる、あるいは出力中のコンテンツを詳細情報のコンテンツに切り替えさせるといった処理を実行させる。そして、前記スクリプトを実行したら、図３に示すように、前記ステップ９０１に戻り、映像の解析を続ける。
【００４１】
このような手順で行う前記コンテンツの出力制御では、前記ステップ９０１において、たとえば、図４に示すように、前記表示装置２の前にある人物（可視聴者）１０が立ち、あらかじめ定められた時間、同じ位置に滞留していたという変化を検出した場合に、前記表示装置２にコンテンツ８０１，８０２，８０３を出力（表示）するという制御が行われる。このとき、前記ステップ９０３では、ある人物１０が一定時間同じ位置に滞留していた場合に対応するイベントを発生させる。そして、前記ステップ９０４およびステップ９０５では、前記イベントと対応するスクリプトを取得し、実行する。このとき、前記ステップ９０５で実行するスクリプトは、前記画面制御手段３０６に、前記コンテンツ保持手段３０２からコンテンツ８０１，８０２，８０３を読み込んで前記表示装置２にポップアップ表示させるような命令にすればよい。
【００４２】
また、前記ステップ９０１において、たとえば、図５に示すように、前記表示装置２のあるコンテンツ８０１Ａの付近に立っていた可視聴者１０が、他のコンテンツ８０３Ａの近くに移動したという変化を検出した場合に、前記移動した可視聴者１０がいる位置の付近に表示されているコンテンツ８０３Ａを詳細情報が含まれるコンテンツ８０３Ｂに切り替えるという制御を行うこともできる。このとき、前記ステップ９０３では、可視聴者があるコンテンツの前に移動した場合に対応するイベントを発生させる。そして、前記ステップ９０４およびステップ９０５では、前記イベントと対応するスクリプトを取得し、実行する。このとき、前記ステップ９０５で実行するスクリプトは、前記画面制御手段３０６に、前記コンテンツ保持手段３０２から前記可視聴者１０の前にあるコンテンツ８０３Ａの詳細情報が含まれるコンテンツ８０３Ｂを読み込んで前記表示装置２に出力し、コンテンツを切り替えさせるような命令にすればよい。
【００４３】
またこのとき、たとえば、図６に示すように、前記表示装置２に、設置場所の付近の地図を背景として表示しておき、たとえば、前記可視聴者１０が前記表示装置２の前で立ち止まったときに、前記表示装置２にコンテンツ８０１Ａ，８０２Ａ，８０３Ａ，８０４Ａ，８０５Ａを表示してもよい。そして、前記表示装置２の前で立ち止まった可視聴者１０が移動したときに、移動した先の前あるいは近くにあるコンテンツ８０４Ａを、詳細情報を含むコンテンツ８０４Ｂに切り替えてもよい。
【００４４】
また、その他にも、たとえば、図７（ａ）に示すように、前記可視聴者１０が前記表示装置２の前で立ち止まったときに、前記可視聴者１０がいる位置の付近にだけコンテンツ８０１Ａ，８０２Ｂを出力（表示）させるような制御をしてもよい。またさらに、前記可視聴者１０が立ち止まる、あるいは移動するといった動作だけでなく、たとえば、図７（ｂ）に示すように、前記可視聴者１０が表示装置２に表示されているコンテンツに指をさすような動作をしたときに、指をさしたコンテンツを、詳細情報を含むコンテンツ８０２Ｂに切り替えるような制御をしてもよい。
【００４５】
以上説明したように、本実施例１の情報配信方法によれば、前記表示装置２に表示されたコンテンツを見た可視聴者が、前記コンテンツに関するより詳細な情報や関連情報を望む場合、前記通信端末５を用いて前記コンテンツ８に表示された画像８Ｐを読み込み、読み込んだ画像８Ｐから前記詳細な情報や関連情報の入手先のアドレス情報を抽出すればよい。そのため、前記関連情報等を入手する際に、入手先の情報を探す負担や、前記可視聴者が前記コンテンツを見ながら入手先のアドレスを入力するという負担を低減することができる。また、前記画像８Ｐからアドレス情報を抽出するので、入力ミスにより前記関連情報が得られないといったことを防ぐこともできる。
【実施例２】
【００４６】
図８は、本発明による実施例２の情報配信方法の原理を説明するための模式図であり、本実施例２の情報配信方法を実現する情報配信システムの構成例を示す図である。
図８において、１はコンテンツ配信装置、１０１はコンテンツ蓄積手段、１０２はパケット送受信手段、４０１は関連情報蓄積手段、４０２はコンテンツ特定手段、２Ａ，２Ｂは表示装置、３Ａ，３Ｂはコンテンツ出力装置、５は通信端末、６はインターネット、７Ａ，７Ｂはカメラである。
【００４７】
本実施例２の情報配信方法は、たとえば、図８に示すように、コンテンツを配信するコンテンツ配信装置１と、前記コンテンツ配信装置１から配信されるコンテンツを取得して表示装置２Ａ，２Ｂに出力するコンテンツ出力装置３Ａ，３Ｂと、前記表示装置２Ａ，２Ｂに出力されたコンテンツを見た人物（可視聴者）が前記コンテンツの関連情報を取得する通信端末５とを備える情報配信システムによって実現される。このとき、前記コンテンツの関連情報は、前記コンテンツ配信装置１にアクセスすることで取得できるようになっているとする。またこのとき、前記コンテンツ出力装置３Ａ，３Ｂは、たとえば、図８に示したように、インターネット６を介して前記コンテンツ配信装置１から配信された前記コンテンツを取得する。また、前記通信端末５も、たとえば、前記インターネット６を介して前記コンテンツ配信装置１にアクセスし、前記関連情報を取得する。またこのとき、前記通信端末５は、有線または無線のいずれかの方法で前記インターネット６に接続することが可能な端末であればよい。
【００４８】
また、前記コンテンツ配信装置１は、図８に示したように、複数のコンテンツを蓄積したコンテンツ蓄積手段１０１と、前記コンテンツの関連情報を蓄積した関連情報蓄積手段４０１と、前記関連情報の配信要求のアドレス情報からコンテンツを特定するコンテンツ特定手段４０２と、前記コンテンツ出力装置３Ａ，３Ｂへのコンテンツの配信、前記通信端末５への関連情報の配信等をする際にパケットの送受信を行うパケット送受信手段１０２を備える。このとき、前記コンテンツ配信装置１は、たとえば、いくつかの関連したコンテンツをグループ化して配信する。つまり、前記コンテンツ配信装置１によって配信されるコンテンツが、たとえば、商品の広告を含むものである場合には、前記商品の詳細情報を含むコンテンツや前記商品の取扱店情報を含むコンテンツ等と共にグループ化されて配信される。
【００４９】
また、前記表示装置２は、たとえば、プラズマディスプレイやプロジェクタのような大画面の表示装置であり、駅構内やビルの入り口付近等の公共スペースに設置されているとする。
【００５０】
また、前記コンテンツ出力装置３Ａ，３Ｂは、たとえば、前記実施例１で説明したコンテンツ出力装置３と同様の構成であればよいので、詳細な説明は省略する。また、前記コンテンツ配信装置１および前記コンテンツ出力装置３Ａ，３Ｂには、たとえば、コンピュータを用いる。そして、前記各装置の各手段で行う処理を実行させるプログラムを用いてそれぞれのコンピュータを動作させ、前記コンテンツの配信、前記コンテンツの出力、前記関連情報の配信といった処理を行わせる。
【００５１】
また、前記通信端末５も、前記実施例１で説明した通信端末と同様の構成であればよいので、詳細な説明は省略する。
【００５２】
なお、本実施例２の情報配信方法では、前記実施例１の配信方法と異なり、前記コンテンツ出力装置３Ａ，３Ｂ毎に割り当てられたアドレス情報を含む画像を前記各表示装置２に表示させる。
【００５３】
図９および図１０は、本実施例２の情報配信方法における関連情報の配信手順（取得手順）の一例を説明するための模式図であり、図９は配信手順を示すシーケンス図、図１０は通信端末とコンテンツ配信装置との間で送受信されるパケットの流れを示す図である。
【００５４】
本実施例２の情報配信方法では、前記表示装置２に表示されたコンテンツを見た可視聴者が、さらに詳細な情報や関連情報等を望む場合、前記可視聴者は、まず、図９に示すように、前記通信端末５を用いて前記表示装置２にコンテンツを出力しているコンテンツ出力装置のアドレス情報を取得する。このとき、前記コンテンツ出力装置のアドレス情報は、たとえば、図１０に示すように、QRコード等の前記アドレス情報を含む画像として前記表示装置２に表示されている。そのため、前記可視聴者は、まず、図１０に示したように、前記通信端末５の画像読取手段５０１を用いて前記表示装置２に表示された画像（QRコード）８Ｐを読み取り、前記アドレス情報抽出手段５０２で前記アドレス情報を抽出する。また、前記通信端末５は、前記アドレス情報を抽出したら、前記配信要求生成手段５０３により抽出したアドレス情報を送信先のアドレスとした関連情報の配信要求を生成する。そして、前記パケット送受信手段５０５から前記インターネット６を介して前記コンテンツ配信装置１に前記配信要求を送信する。
【００５５】
前記コンテンツ配信装置１では、前記パケット送受信手段１０２で前記配信要求を受信すると、まず、図９および図１０に示したように、前記コンテンツ特定手段４０２で前記配信要求の送信先アドレスを調べ、コンテンツ出力装置を特定する。前記コンテンツ特定手段４０２は、前記コンテンツ出力装置を特定したら、次に、たとえば、前記特定したコンテンツ出力装置に複数のコンテンツを配信しているか否かを調べる。このとき、複数のコンテンツを配信しているのであれば、前記コンテンツ特定手段４０２は、前記通信端末５に対してコンテンツの選択を要求する。そして、選択要求を受信した前記通信端末５は、たとえば、前記可視聴者にコンテンツを選択させ、その選択結果を前記コンテンツ配信装置１に送信する。前記通信端末５からの選択結果を受信した前記コンテンツ特定手段４０２は、選択されたコンテンツの関連情報を前記関連情報蓄積手段４０１から読み出す。そして、読み出した関連情報は、前記パケット送受信手段１０２から前記インターネット６を介して前記配信要求を送信した通信端末５に対して送信する。このとき、前記関連情報は、たとえば、HTML(Hyper Text Markup Language)で記述されたWWW(World Wide Web)ページによって表され、コンテンツのより詳細な情報やコンテンツの供給元に有効なクーポン情報等を含んでいるとする。
【００５６】
そして、前記通信端末５は、前記パケット送受信手段５０５で前記コンテンツ配信装置１からの関連情報を受信すると、その関連情報を液晶ディスプレイ等の表示手段５０４に表示する。また、図示は省略するが、受信した関連情報をメモリ等の記憶手段に記憶し保持してもよい。
【００５７】
また、前記コンテンツ配信装置１から前記特定したコンテンツ出力装置に対して配信しているコンテンツが、１つあるいは１グループである場合、前記コンテンツの選択は不要なので、図９に示すように、前記特定したコンテンツ出力装置に配信しているコンテンツの関連情報を前記関連情報蓄積手段４０１から読み出し、前記通信端末５に送信するだけでよい。
【００５８】
このように、前記通信端末５を用いて前記コンテンツに埋め込まれた画像８Ｐを読み取り、前記画像８Ｐに含まれるアドレス情報を抽出することで、たとえば、従来のように前記可視聴者が前記コンテンツを見ながらアドレスを入力する作業を省くことができる。そのため、前記入力作業の負担を軽減できる。また、前記画像８Ｐからアドレス情報を抽出するので、入力ミスを防ぐこともできる。
【００５９】
なお、本実施例２の情報配信方法において、前記コンテンツ出力装置３Ａ，３Ｂが取得したコンテンツを前記表示装置２Ａ，２Ｂに出力する際の出力方法（制御）に関しては、前記実施例１で説明したような手順で行えばよいので、詳細な説明は省略する。
【００６０】
以上説明したように、本実施例２の情報配信方法によれば、前記表示装置２Ａ，２Ｂに表示されたコンテンツを見た視聴者が、前記コンテンツに関するより詳細な情報や関連情報を望む場合、前記通信端末５を用いて前記表示装置２Ａ，２Ｂに表示された画像８Ｐを読み込み、読み込んだ画像８Ｐから前記詳細な情報や関連情報の入手先のアドレス情報抽出することができる。そのため、前記関連情報等を入手する際に、入手先の情報を探す負担や、前記可視聴者が前記コンテンツを見ながら入手先のアドレスを入力するという負担を低減することができる。また、前記画像からアドレス情報を抽出するので、入力ミスにより前記関連情報が得られないといったことを防ぐこともできる。
【００６１】
また、本実施例２の情報配信方法では、前記表示装置２に前記コンテンツ出力装置３Ａ，３Ｂのアドレス情報を含む画像８Ｐを表示しておき、前記通信端末５でその画像を読み取ることで前記アドレス情報を取得するとしたが、これに限らず、たとえば、前記表示装置２に前記コンテンツ出力装置毎に割り当てられたアドレスを文字情報として表示しておき、前記可視聴者が前記通信端末５の入力手段を用いて入力してもよい。本実施例２の情報配信方法の場合、前記可視聴者が前記表示装置２のコンテンツを見て関連情報の配信を要求する場合、前記コンテンツ出力装置毎に割り当てられたアドレス情報を用いて要求するので、関連情報を入手するためのアドレス情報を見いだす際に迷うことが少ない。また、アドレス情報を手入力した後、そのアドレス情報を前記通信端末５に保存しておけば、次に同じ表示装置２に表示されたコンテンツの関連情報を入手するときに、前記保存したアドレス情報を用いることができるので、アドレス情報を繰り返し入力する手間（負担）を軽減することができる。
【００６２】
以上、本発明を、前記実施例に基づき具体的に説明したが、本発明は、前記実施例に限定されるものではなく、その要旨を逸脱しない範囲において、種々変更可能であることはもちろんである。
【図面の簡単な説明】
【００６３】
【図１】本発明による実施例１の情報配信方法の原理を説明するための模式図であり、図１は本実施例１の情報配信方法を実現する情報配信システムの構成例を示す図である。
【図２】本発明による実施例１の情報配信方法の原理を説明するための模式図であり、通信端末の構成例および関連情報の取得手順を説明する図である。
【図３】本実施例１の情報配信方法におけるコンテンツの出力手順の一例を説明するための模式図であり、コンテンツ出力装置で行う出力制御の手順を示すフロー図である。
【図４】本実施例１の情報配信方法におけるコンテンツの出力手順の一例を説明するための模式図であり、出力の制御方法の一例を示す図である。
【図５】本実施例１の情報配信方法におけるコンテンツの出力手順の一例を説明するための模式図であり、出力の制御方法の一例を示す図である。
【図６】本実施例１の情報配信方法におけるコンテンツの出力手順の一例を説明するための模式図であり、出力の制御方法の一例を示す図である。
【図７】本実施例１の情報配信方法におけるコンテンツの出力手順の一例を説明するための模式図であり、図７（ａ）および図７（ｂ）はそれぞれ出力の制御方法の一例を示す図である。
【図８】本発明による実施例２の情報配信方法の原理を説明するための模式図であり、本実施例２の情報配信方法を実現する情報配信システムの構成例を示す図である。
【図９】本実施例２の情報配信方法における関連情報の配信手順（取得手順）の一例を説明するための模式図であり、配信手順を示すシーケンス図である。
【図１０】本実施例２の情報配信方法における関連情報の配信手順（取得手順）の一例を説明するための模式図であり、通信端末とコンテンツ配信装置との間で送受信されるパケットの流れを示す図である。
【符号の説明】
【００６４】
１…コンテンツ配信装置
１０１…コンテンツ蓄積手段
１０２…パケット送受信手段
２…表示装置
３，３Ａ，３Ｂ…コンテンツ出力装置
３０１…コンテンツ取得手段
３０２…コンテンツ保持手段
３０３…映像解析手段
３０４…イベント発生手段
３０５…スクリプト実行手段
３０６…画面制御手段
３０７…アクションスクリプト記憶手段
４…関連情報配信装置
４０１…関連情報蓄積手段
４０２…コンテンツ特定手段
４０３…パケット送受信手段
５…通信端末
５０１…画像読取手段
５０２…アドレス情報抽出手段
５０３…配信要求生成手段
５０４…表示手段
５０５…パケット送受信手段
６…インターネット
７…カメラ
８，８０１，８０２，８０３…コンテンツ
８Ｐ…アドレス情報を含む画像
【図１】
2005332035.tif 000003
【図２】
2005332035.tif 000004
【図３】
2005332035.tif 000005
【図４】
2005332035.tif 000006
【図５】
2005332035.tif 000007
【図６】
2005332035.tif 000008
【図７】
2005332035.tif 000009
【図８】
2005332035.tif 000010
【図９】
2005332035.tif 000011
【図１０】
2005332035.tif 000012